(57)【要約】【課題】  地震時には、書架からの図書等の落下を有効に防止することができるとともに、平時には、図書等をその上で滑らせて移動させることができ、図書等の整理や出し入れ作業に支障のない地震落下防止用シートを提供することを課題とする。【解決手段】  シート状の芯材と、前記芯材の一方の面に貼着された第一シートと、前記芯材の他方の面に貼着された第二シートとからなる三層構造を有し、第一シート及び第二シートの前記芯材とは反対側の面が毛羽立っていることを特徴とする地震落下防止用シートを提供することによって、上記課題を解決する。【選択図】  図１
0003161158.tif 000002
【実用新案登録請求の範囲】
【請求項１】
シート状の芯材と、前記芯材の一方の面に貼着された第一シートと、前記芯材の他方の面に貼着された第二シートとからなる三層構造を有し、第一シート及び第二シートの前記芯材とは反対側の面が毛羽だっていることを特徴とする地震落下防止用シート。
【請求項２】
第一シートの前記芯材とは反対側の面の色と、第二シートの前記芯材とは反対側の面の色とが異なっていることを特徴とする請求項１記載の地震落下防止用シート。
【考案の詳細な説明】
【技術分野】
【０００１】
本考案は、地震落下防止用シートに関し、詳細には、書架等の棚板上に載置して使用され、地震時に、棚板から図書等が落下するのを防止する地震落下防止用シートに関する。
【背景技術】
【０００２】
突然襲ってくる地震に対し、ビルや家屋などを耐震構造とし、その倒壊防止を図る必要性があることは勿論であるが、建物内に設置されている家具や備品などについても、その転倒防止や、収容物の落下防止対策を講じておくことが必要である。図書館や書店などにおける書架も例外ではなく、書架そのものが転倒しないまでも、地震の揺れによって書架に収容した図書などが棚板から次々と落下すると、付近にいる人に当たって怪我をさせる危険性がある上に、落下した図書などが通路を塞ぎ、避難の妨げとなる恐れがあるので、書架の転倒防止に加えて、書架に収容されている図書などの落下防止対策は重要である。
【０００３】
このため、従来から地震時における書架からの図書等の落下を防止する技術は多数提案されており、例えば、特許文献１〜２においては、書架の前面若しくは棚板の前面に、収容されている図書等の落下を防止するブックガードやストッパーを設けることが提案されている。
【０００４】
しかし、特許文献１〜２に開示されているブックガードやストッパーは、地震の揺れによって書架の棚板から前方に飛び出そうとする図書などと接触して、その落下を物理的に阻止するものであるので、本来、図書等の出し入れには障害となるものである。したがって、平時に図書等を出し入れしようとする際には、ブックガードを邪魔にならない位置に移動させたり、図書等をストッパーに当たらない角度で取り出すなどの余分な作業や動作が必要となり、その存在を意識することなく書架を利用することが困難である。
【０００５】
また、特許文献３〜５においては、書架の棚板上に滑り止めシートを載置して、地震時の揺れによって図書等が棚板上から滑って落下するのを防止することが提案されている。すなわち、特許文献３には、シート状基材の両面に合成樹脂弾性発泡体層を形成した滑り止めシートが、特許文献４には、高い静摩擦係数を持つ滑り止めフィルムからなる滑り止めシートが、さらに特許文献５には、糸を使用した布帛にシリコーン樹脂又はポリウレタン樹脂を塗布し、織目に対応した凹凸を持たせた滑り止めシートが、それぞれ開示されている。
【０００６】
これら特許文献３〜５に開示されている滑り止めシートは、書架の棚板から前方に飛び出そうとする図書などと接触して、その落下を物理的に阻止するものではないので、平時における図書等の出し入れに直接障害を及ぼすものではない。しかし、特許文献３〜５に開示されている滑り止めシートは、地震時の落下防止を意識する余り、総じて滑り止め効果が強すぎて、一旦、これらの滑り止めシートを棚板上に設置してしまうと、棚板上で図書等を滑らすことができず、整理のために図書等を左右に寄せたり、図書等を出し入れする作業がスムースに行えないという欠点を有している。また、特許文献３〜５に開示されている滑り止めシートは、樹脂や特殊なフィルムを使用するため比較的高価であるという不都合もある。
【先行技術文献】
【特許文献】
【０００７】
【特許文献１】特開２００６−１５８８０８号公報
【特許文献２】特開２００６−３４１０６０号公報
【特許文献３】特開平８−３１７８５０号公報
【特許文献４】特開２０００−６３７７８号公報
【特許文献５】特開２００８−３０１９８０号公報
【考案の概要】
【考案が解決しようとする課題】
【０００８】
本考案は、上記のような従来の落下防止技術が有する欠点を解消するために為されたもので、適度な滑り止め効果を有し、地震時には、書架からの図書等の落下を有効に防止することができるとともに、平時には、図書等をその上で滑らせて移動させることができ、図書等の整理や出し入れ作業に支障のない地震落下防止用シートを提供することを課題とするものである。
【課題を解決するための手段】
【０００９】
上記の課題を解決すべく鋭意試行錯誤を重ねた結果、本考案者は、シート状の芯材の両面に、毛羽立ったシートを貼着することによって、適度な滑り止め効果を有し、地震時には、書架からの図書等の落下を有効に防止することができるとともに、平時には、図書等をその上で滑らせて移動させるのに支障のない地震落下防止用シートが得られることを見出した。
【００１０】
すなわち、本考案は、シート状の芯材と、前記芯材の一方の面に貼着された第一シートと、前記芯材の他方の面に貼着された第二シートとからなる三層構造を有し、第一シート及び第二シートの前記芯材とは反対側の面が毛羽立っていることを特徴とする地震落下防止用シートを提供することによって、上記の課題を解決するものである。
【００１１】
本考案の地震落下防止用シートにおいては、従来の滑り止めシートとは違って、樹脂や特殊なフィルムなどの摩擦係数の高い材料を用いて図書等が滑るのを防止するのではなく、芯材の両面に貼着される第一及び第二シートの毛羽立った表面によって、地震時における図書等の滑りを防止している。第一及び第二シートの毛羽立った表面は、その上で図書等を滑らせて左右前後に移動させることに関しては大きな妨げとはならず、整理作業や出し入れ作業にも支障がない。特に、本考案の地震落下防止用シートは、第一及び第二シートの間にシート状の芯材が存在する三層構造を有しているので、地震落下防止用シート上で図書等を滑らせて左右又は前後に移動させても、第一シート又は第二シートが緩んで山状にシワになったり、左右や前後に片寄ったりすることがなく、出し入れする図書等が地震落下防止用シートに引っかかることもない。
【００１２】
また、本考案の地震落下防止用シートは、その好適な一実施態様において、第一シートの色と、第二シートの色とが異なっており、第一シート又は第二シートのいずれを上面にして棚板上に載置するかを選択することによって、用いる書架の材質や色彩に合わせて本考案の地震落下防止用シートの色彩を変更することが可能である。例えば、第一シートの芯材とは反対側の面の色をグレーにし、第二シートの芯材とは反対側の面の色を薄いグリーンにしておき、スチール製の書架においてはグレーの第一シートの面を上にして棚板上に載置し、木製の書架においては薄いグリーンの第二シートの面を上にして棚板上に載置することによって、書架全体を色彩的に調和のとれた違和感のないものとすることができる。
【００１３】
なお、本考案の地震落下防止用シートは、書架に使用する場合にその効果を有効に発揮し、最も好適であるが、その使用対象は書架に限られるものではない。本考案の地震落下防止用シートの使用対象は、書架以外に、例えば、ファイリングキャビネットや、各種収容棚、陳列棚であっても良く、また、地震時に落下を防止する対象物も、図書は勿論のこと、雑誌、パンフレット、小冊子、ファイル、ＣＤ、ＤＶＤ、食器等の各種物品であっても良い。
【考案の効果】
【００１４】
本考案の地震落下防止用シートによれば、地震時には、書架からの図書等の落下を有効に防止することができるとともに、平時には、図書等の整理や出し入れに伴う移動に関して通常の棚板とほぼ変わらない作業性が確保できるという優れた利点が得られる。また、本考案の地震落下防止用シートにおいて、第一シートの色と第二シートの色とが異なっている場合には、用いる書架の材質や色彩に合わせて、その上面の色彩を第一シートの色及び第二シートの色の中から選択することができるという利点が得られる。さらに、本考案の地震落下防止用シートにおいては、シート状の芯材と、その両面に貼着される毛羽立ったシートを用いているだけなので、比較的安価に製造することができるという利点も得られる。
【図面の簡単な説明】
【００１５】
【図１】本考案の地震落下防止用シートの一例を示す斜視図である。
【図２】本考案の地震落下防止用シートの断面模式図である。
【図３】本考案の地震落下防止用シートを書架に使用した状態を示す図である。
【図４】本考案の地震落下防止用シートの他の使用例を示す図である。
【考案を実施するための形態】
【００１６】
以下、図面を用いて本考案を詳細に説明するが、本考案が図示のものに限られないことは勿論である。
【００１７】
図１は、本考案の地震落下防止用シートの一例を示す斜視図である。図１において、１は本考案の地震落下防止用シート、２はシート状の芯材、３は芯材２の一方の面に貼着された第一シート、４は芯材２の他方の面に貼着された第二シートであり、本考案の地震落下防止用シート１は、芯材２と、第一シート３、及び第二シート４からなる三層構造を有している。第一シート３の芯材２と反対側の面（図１では上側で見えている面）、及び、第二シート４の芯材２とは反対側の面（図１では下側になり見えない面）は毛羽立っている。
【００１８】
本明細書において、毛羽立っているとは、繊維状の材料が起こり立っている状態にあることをいい、起こり立っている繊維状の材料の先端部はループ状であっても、ループ状でなくても良い。また、用いる繊維状の材料の材質、太さ、毛脚の長さ、密度等に関しては、地震時にはその上に載置した図書等の落下を防止するとともに、平時にはその上で図書等を左右又は前後に寄せて移動させることができる限り、特段の制限はないが、通常、書架に収容される図書等の大きさや重量を考慮すると、ポリエチレン、ポリプロピレン、ポリアミド、ポリエステル、レーヨンなどの化学繊維や、植物系若しくは動物系の天然繊維を用いるのが好ましく、また、繊維状の材料の太さとしては直径が０．０１〜１ｍｍの範囲、毛脚の長さとしては０．５〜５ｍｍの範囲とするのが良く、密度は密である方が好ましい。
【００１９】
第一シート３及び第二シート４としては、上述した化学繊維又は天然繊維を毛羽立った状態で薄い紙などの上に固着したシートや、パイル織物状又はフエルト状に加工したシート、或いは、上述した化学繊維又は天然繊維を接着剤等でシート状に接合させた不織布、ラシャ紙などを用いることができるが、具体的には、例えば、ドイツのヴィベール社製の商品名『ヴィベールペーパー』（ヴィベールジャパン有限会社販売）を挙げることができる。この『ヴィベールペーパー』は、薄い紙の片面にポリエチレン繊維を起毛状態で固着したもので、その厚さは約１ｍｍであり、種々の色のものが市販されているので、本考案における第一シート３及び第二シート４として好適に用いることができる。
【００２０】
図２は、図１の地震落下防止用シート１の断面図であり、第一シート３及び第二シート４の毛羽立ちを模式的に毛羽５として示してある。第一シート３及び第二シート４として、上述した『ヴィベールペーパー』を使用する場合には、毛羽５の密度は図２に示すよりも高くなり、多数の毛羽５同士が互いに密着し、第一シート３及び第二シート４の表面を覆い尽くすような状態となる。
【００２１】
図１及び図２に示す例においては、第一シート３及び第二シート４は、その芯材２とは反対側の面だけが毛羽立っており、芯材２の側の面、すなわち、芯材２との貼着面は平坦である。このように、第一シート３及び第二シート４は、少なくとも芯材２とは反対側の面が毛羽立っておれば良く、必ずしも両面が毛羽立っている必要はないが、場合によっては、第一シート３及び第二シート４の芯材２の側の面も毛羽立っていても良い。ただし、芯材２との貼着の容易性という観点からは、第一シート３及び第二シート４の芯材２の側の面は、平坦であるのが好ましい。
【００２２】
シート状の芯材２としては、その両面に貼着された第一シート３及び第二シート４を、緩んだり、山状にシワになったりしないように保持できるものであればどのような材質及び厚さのシートであっても良いが、入手や加工が容易であるという観点からは、紙を用いるのが好ましい。好ましい紙としては、例えば、チケン紙、ケンラン、チップボールなどが挙げられ、その厚さは、０．３ｍｍ〜１ｍｍ程度、好ましくは、０．４ｍｍ〜０．７ｍｍの範囲である。
【００２３】
芯材２に第一シート３及び第二シート４を貼着する手段に特に制限はなく、糊や接着剤などの適宜の貼着手段を用いて貼着すれば良い。なお、第一シート３及び第二シート４として、上述した化学繊維又は天然繊維を起毛状態で薄い紙などの支持部材の上に固着したシートを用いる場合には、その紙などの支持部材を介して第一シート３及び第二シート４を芯材２に貼着すれば良く、また、上述した化学繊維又は天然繊維を接着剤等でシート状に接合させた不織布を用いる場合には、不織布そのものを芯材２に貼着すれば良い。第一シート３及び第二シート４の形状、大きさは、芯材２と同じであるのが望ましく、芯材２の両面が第一シート３及び第二シート４によって過不足なく覆われているのが望ましい。
【００２４】
図３は、本考案の地震落下防止用シート１を書架に使用した状態を示す図である。図３において、６は書架、７は棚板、８は図書、９は雑誌であり、１は本考案の地震落下防止用シートである。本考案の地震落下防止用シート１は、図３に示すとおり、書架６の棚板７の上に載置して使用され、図書８や雑誌９などは、地震落下防止用シート１の上に通常どおりに立てて収容される。このように本考案の地震落下防止用シート１を用いる場合には、地震による揺れがあっても、図書８や雑誌９などはその滑りが抑制され、棚板７から落下する恐れがない。
【００２５】
また、平時においては、例えば最上段のＡの棚に示すとおり、図書８を、地震落下防止用シート１上で、図中矢印で示す左方向に寄せて移動させて整理したり、中央のＣの棚に示すとおり、図書８を、地震落下防止用シート１上で、図中矢印で示す左右方向に移動させて真ん中にスペースを設けたりすることが可能である。このように、本考案の地震落下防止用シート１によれば、その上で図書８などを支障なく左右に寄せて移動させることができる。また、第一シート３と第二シート４の間に芯材２が存在するので、図書８などを移動させても、地震落下防止用シート１が緩んで山状にシワになったり、一方に片寄ったりすることがない。
【００２６】
また、本考案の地震落下防止用シート１は、適度な滑り止め効果を有しているので、雑誌９のように表紙が薄くて通常の棚板７上では自立が難しいものであっても、図３の上から２段目のＢの棚に示すとおり、本考案の地震落下防止用シート１の上では自立し易く、綺麗に並べることができる。これは、雑誌９に限らず、パンフレットや表紙が薄い小冊子などにおいても同様である。
【００２７】
さらに、本考案の地震落下防止用シート１は、適度な滑り止め効果を有しているので、一つの棚から多くの図書などを一度に引き出した場合でも、図３の最下段のＥの棚に示すとおり、端にある図書８’を軽く斜めに立て掛けることで、残りの図書８の自立が保たれるので、一時的な図書の出し入れ場所を常に確保することができる。
【００２８】
図４は、本考案の地震落下防止用シートの他の使用例を示す図である。図４においては、便宜上、書架６を構成する一枚の棚板７だけを取り出して示してある。棚板７の上には本考案の地震落下防止用シート１が載置され、１０は小冊子、１１は例えばブックエンドである。図に示すとおり、適度な滑り止め効果を有する本考案の地震落下防止用シート１を棚板７上に載置して使用する場合には、表紙が薄くて自立が困難な小冊子１０であってもブックエンド１１から滑り落ちることがなくブックエンド１１に立て掛けることができるので、専用の展示用本立を用いずに、書架６上に小冊子１０を展示用にその表紙を正面に向けて展示することが可能である。
【実施例】
【００２９】
芯材として厚さ０．４３ｍｍのチケン紙を用い、第一シート及び第二シートとして『ヴィベールペーパー』（ヴィベールジャパン有限会社販売、厚さ約１ｍｍ）を用い、芯材となるチケン紙の両面のそれぞれに、『ヴィベールペーパー』の紙の面を市販の紙用接着剤を用いて貼着し、縦２０ｃｍ、横７４ｃｍ、厚さ約２．５ｍｍの、三層構造を有する本考案の地震落下防止用シートを６枚作成した。作成した地震落下防止用シートを、奥行き２４ｃｍ、幅７５ｃｍの６段書架の各棚板上に載置し、その上に通常の図書をほぼ隙間なく立てて収容した状態で、震度６に相当する揺れを約３０秒間にわたって書架に加えたところ、書架の棚板から落下した図書は一冊もなかった。
【００３０】
また、各棚板から図書を引き出したり、各棚板に図書を入れる作業を繰り返し、さらに、各棚板から、各棚板に収容されている図書の約半数をランダムに抜き出して、残りの図書を左右に寄せて空いた空間をひとまとめにする作業を繰り返したが、各作業は支障なく行うことができ、作業後も、地震落下防止用シートに緩みはなく、地震落下防止用シートが棚板の前後又は左右の一方に片寄ったりすることもなかった。
【産業上の利用可能性】
【００３１】
以上説明したように、本考案の地震落下防止用シートによれば、地震時には書架からの図書等の落下を防止することができるとともに、平時には、図書等の整理や出し入れ作業に関して地震落下防止用シートを用いない通常の書架とほぼ同様の作業性を確保することができる。本考案の地震落下防止用シートは、安全であるとともに作業性に優れるので、図書館などにおける安全性の向上に寄与することが大であり、極めて優れた産業上の利用可能性を有するものである。
【符号の説明】
【００３２】
１            地震落下防止用シート
２            芯材
３            第一シート
４            第二シート
５            毛羽
６            書架
７            棚板
８            図書
９            雑誌
１０          小冊子
１１          ブックエンド
【図１】
0003161158.tif 000003
【図２】
0003161158.tif 000004
【図３】
0003161158.tif 000005
【図４】
0003161158.tif 000006